(57)【要約】【課題】操作性に優れた血液回路を提供すること。【解決手段】血液回路１は、第１のチューブ３と、第２のチューブ本体４３と、第２のチューブ本体４３の分岐部４４から分岐した分岐チューブ４１および４２とを有する第２のチューブ４と、第１のチューブ３の先端部３１と分岐チューブ４１の先端部４１１と分岐チューブ４２の先端部４２１とにそれぞれ着脱自在に装着されるプラグ５１、５２および５３を有するコネクタ５とを備えている。この血液回路１は、第１のチューブ３の先端部３１と分岐チューブ４１の先端部４１１と分岐チューブ４２の先端部４２１からコネクタ５を離脱し、第１のチューブ３の先端部３１と分岐チューブ４１の先端部４１１と分岐チューブ４２の先端部４２１をそれぞれ、患者に留置されたカテーテルに接続して使用される。【選択図】図２
2008022893.tif 000002
【特許請求の範囲】
【請求項１】
第１のチューブと、
第２のチューブ本体と、該第２のチューブ本体の端部から分岐した２つの分岐チューブとを有する第２のチューブと、
前記第１のチューブの端部と前記各分岐チューブの端部のそれぞれに着脱自在に装着される３つの接続部を有するコネクタとを備え、
前記第１のチューブの端部と前記各分岐チューブの端部から前記コネクタを離脱し、前記第１のチューブの端部と前記各分岐チューブの端部とをそれぞれ、患者に留置されたカテーテルに接続して使用されることを特徴とする血液回路。
【請求項２】
前記コネクタには、内部空間が形成されており、
前記各接続部同士は、前記内部空間を介して互いに連通している請求項１に記載の血液回路。
【請求項３】
前記３つの接続部は、ほぼ同一方向に突出した３つのプラグで構成されている請求項１または２に記載の血液回路。
【請求項４】
前記コネクタは、該コネクタを着脱するときに把持される把持部を有する請求項１ないし３のいずれかに記載の血液回路。
【請求項５】
前記各接続部の近傍には、それぞれ、接続されているチューブを特定する標示が付されている請求項１ないし４のいずれかに記載の血液回路。
【請求項６】
前記第１のチューブの端部には、それを特定する第１の標示が付されており、
前記各分岐チューブの端部には、それぞれ、それらを特定する第２の標示が付されている請求項１ないし５のいずれかに記載の血液回路。
【請求項７】
前記２つの分岐チューブは、長さがほぼ同等である請求項１ないし６のいずれかに記載の血液回路。
【請求項８】
前記第１のチューブの全長と前記第２のチューブの全長とは、ほぼ同等である請求項１ないし７のいずれかに記載の血液回路。
【請求項９】
前記第１のチューブおよび前記第２のチューブを収納する収納部をさらに有し、
前記第１のチューブおよび前記第２のチューブは、前記収納部に収納された状態では、巻回方向が一方向となるようにループ状に束ねられている請求項１ないし８のいずれかに記載の血液回路。
【請求項１０】
前記第１のチューブは、血液が前記患者に送血される送血ラインの一部を構成するものであり、
前記第２のチューブは、血液が前記患者から脱血される脱血ラインの一部を構成するものである請求項１ないし９のいずれかに記載の血液回路。
【発明の詳細な説明】
【技術分野】
【０００１】
本発明は、患者に留置されたカテーテルに接続して、当該患者の血液を体外循環する血液回路に関する。
【背景技術】
【０００２】
従来、血液体外循環に用いられる装置としては、例えば特許文献１に記載の血液処理装置が知られている。
【０００３】
この血液処理装置は、同公報の特許請求の範囲および図２等に示されているように、脱血ライン７と送血ライン８とを有している。また、この血液処理装置では、脱血ライン７を構成するチューブ７１と送血ライン８を構成するチューブ８１とが、２つの分岐チューブ（図２中の袋体１４内でループを形成しているチューブ）を介して、接続されている（ここでの図番および符号は、前記公報中に記載のもの）。
【０００４】
血液処理装置では、手術、すなわち、患者の症例によっては、２本の分岐チューブをそれぞれ切断して、当該切断された各分岐チューブを、患者に留置されているカテーテルに接続して、体外循環回路を構成する場合があった。このように、血液処理装置では、各分岐チューブを切断する必要が生じるため、当該血液処理装置の操作が煩わしくなっていた。
【０００５】
【特許文献１】特開２００３−２９９７２９号公報
【発明の開示】
【発明が解決しようとする課題】
【０００６】
本発明の目的は、操作性に優れた血液回路を提供することにある。
【課題を解決するための手段】
【０００７】
このような目的は、下記（１）〜（１０）の本発明により達成される。
（１）  第１のチューブと、
第２のチューブ本体と、該第２のチューブ本体の端部から分岐した２つの分岐チューブとを有する第２のチューブと、
前記第１のチューブの端部と前記各分岐チューブの端部のそれぞれに着脱自在に装着される３つの接続部を有するコネクタとを備え、
前記第１のチューブの端部と前記各分岐チューブの端部から前記コネクタを離脱し、前記第１のチューブの端部と前記各分岐チューブの端部とをそれぞれ、患者に留置されたカテーテルに接続して使用されることを特徴とする血液回路。
【０００８】
（２）  前記コネクタには、内部空間が形成されており、
前記各接続部同士は、前記内部空間を介して互いに連通している上記（１）に記載の血液回路。
【０００９】
（３）  前記３つの接続部は、ほぼ同一方向に突出した３つのプラグで構成されている上記（１）または（２）に記載の血液回路。
【００１０】
（４）  前記コネクタは、該コネクタを着脱するときに把持される把持部を有する上記（１）ないし（３）のいずれかに記載の血液回路。
【００１１】
（５）  前記各接続部の近傍には、それぞれ、接続されているチューブを特定する標示が付されている上記（１）ないし（４）のいずれかに記載の血液回路。
【００１２】
（６）  前記第１のチューブの端部には、それを特定する第１の標示が付されており、
前記各分岐チューブの端部には、それぞれ、それらを特定する第２の標示が付されている上記（１）ないし（５）のいずれかに記載の血液回路。
【００１３】
（７）  前記２つの分岐チューブは、長さがほぼ同等である上記（１）ないし（６）のいずれかに記載の血液回路。
【００１４】
（８）  前記第１のチューブの全長と前記第２のチューブの全長とは、ほぼ同等である上記（１）ないし（７）のいずれかに記載の血液回路。
【００１５】
（９）  前記第１のチューブおよび前記第２のチューブを収納する収納部をさらに有し、
前記第１のチューブおよび前記第２のチューブは、前記収納部に収納された状態では、巻回方向が一方向となるようにループ状に束ねられている上記（１）ないし（８）のいずれかに記載の血液回路。
【００１６】
（１０）  前記第１のチューブは、血液が前記患者に送血される送血ラインの一部を構成するものであり、
前記第２のチューブは、血液が前記患者から脱血される脱血ラインの一部を構成するものである上記（１）ないし（９）のいずれかに記載の血液回路。
【発明の効果】
【００１７】
本発明によれば、コネクタが装着されている第１のチューブの端部と第２のチューブの各分岐チューブの端部から、当該コネクタを離脱しさえすれば、第１のチューブの端部と第２のチューブの各分岐チューブの端部とがそれぞれ、迅速に、カテーテルを接続可能な状態となる。また、その後の、患者に留置されたカテーテルへの接続操作も容易に行なうことができる。従って、血液回路１は、操作性に優れたものとなっている。
【００１８】
また、各接続部同士がコネクタ内で連通している場合には、血液回路をプライミングするとき、第１のチューブの端部と第２のチューブの各分岐チューブの端部からコネクタを外す操作を行なわずに、すなわち、コネクタを装着したまま、第１のチューブおよび第２のチューブをプライミング液（生理食塩水）で満たすことができる。
【発明を実施するための最良の形態】
【００１９】
以下、本発明の血液回路を添付図面に示す好適な実施形態に基づいて詳細に説明する。
＜第１実施形態＞
図１は、本発明の血液回路の第１実施形態を示す概略図、図２は、図１に示す血液回路の第１のチューブ、第２のチューブおよびコネクタの拡大斜視図、図３は、図１に示す血液回路の第１のチューブ、第２のチューブおよびコネクタが収納部に収納されている状態を示す斜視図である。なお、図２中の左側を「先端」、右側を「基端」と言う。
【００２０】
図１に示す血液回路（体外循環回路）１は、患者に留置されたカテーテル１０ａ、１０ｂおよび１０ｃに接続して、患者の血液を体外循環するものである。この血液回路１は、患者の心臓に血液が循環せず患者体内でガス交換が行われず、そして血液回路１により血液の循環と血液に対するガス交換（酸素付加および／または二酸化炭素除去）が行われる体外循環と、患者の心臓に血液が循環し患者体内でもガス交換が行われるが、血液回路１によっても血液の循環と血液に対するガス交換が行われる体外循環（補助循環）とのいずれの場合にも使用することができる。
【００２１】
図１および図２に示すように、血液回路１は、回路本体２と、回路本体２と各カテーテル１０ａ、１０ｂおよび１０ｃとを接続する第１のチューブ３および第２のチューブ４とを有している。また、第１のチューブ３（先端部３１）および第２のチューブ４（分岐チューブ４１の先端部４１１および分岐チューブ４２の先端部４２１）には、それらが各カテーテル１０ａ、１０ｂおよび１０ｃに接続されるまでは、コネクタ５が装着されている（図２および図３参照）。以下、各部の構成について説明する。
【００２２】
回路本体２は、気泡除去装置１０２と、チューブ１１３を介して気泡除去装置１０２と接続された遠心ポンプ（血液ポンプ）１０１と、チューブ１１４を介して遠心ポンプ１０１と接続された人工肺１０４と、チューブ１１５を介して人工肺１０４と接続された流量計１０５と、遠心ポンプ１０１の作動（回転数）を制御する制御装置１１０とを備えている。このような構成（配置）の回路本体２を有する血液回路１では、血液は、第２のチューブ４、気泡除去装置１０２、チューブ１１３、遠心ポンプ１０１、チューブ１１４、人工肺１０４、チューブ１１５、流量計１０５および第１のチューブ３を順に経て患者に戻る。すなわち、血液回路１では、血液は、図１中の矢印方向に流れる。
【００２３】
気泡除去装置１０２は、体外循環する血液中の気泡を除去するためのものである。この気泡除去装置１０２としては、例えば、表面が疎水化処理されたフィルタ部材を有するものが挙げられる。このフィルタ部材は、血液中の気体（気泡）の通過を許容するが、血液の通過を阻止することができる。これにより、体外循環する血液中の気泡を確実に除去することができる。また、気泡除去装置１０２は、脱気ライン１１１を介して壁吸引（脱気手段）に接続されている。脱気ライン１１１の途中には、陰圧室８内の圧力を調整する陰圧レギュレータ１１２が設けられている。
【００２４】
遠心ポンプ１０１は、血液を送液（送血）するものである。この遠心ポンプ１０１は、制御装置１１０からの制御によって回転する回転体（図示せず）を有している。遠心ポンプ１０１では、前記回転体の回転数に応じて、送血量を調整する（制御する）ことができる。
【００２５】
また、人工肺１０４には、血液が人工肺１０４に流入する血液流入ポート（流入口）１０４ｂと、人工肺１０４から血液が流出する血液流出ポート（流出口）１０４ａと、ガス流入ポート１０４ｃと、ガス流出ポート（図示せず）と、熱媒体流入ポート１０４ｄと、熱媒体流出ポート１０４ｅとが突出形成されている。また、この人工肺１０４には、ガス交換機能を有する中空糸膜が多数集積された中空糸膜層と、当該中空糸膜層の外周部に設けられ、気泡を捕捉する機能を有するフィルタ部材とが収納されている。
【００２６】
このような血液回路１（回路本体２）では、遠心ポンプ１０１が作動すると、患者からカテーテル１０ｂおよび１０ｃを介して脱血された血液は、第２のチューブ４を通り、まず、気泡除去装置１０２に流入する。気泡除去装置１０２では、血液とともに気泡が流入した際、当該気泡が脱気ライン１１１を介して除去される。気泡が除去された血液は、気泡除去装置１０２から流出して、遠心ポンプ１０１内を通り、人工肺１０４に送られる。人工肺１０４では、血液に対してガス交換（酸素加・脱炭酸ガス）がなされる。ガス交換がなされた（人工肺１０４を通過した）血液は、チューブ１１５、流量計１０５および第１のチューブ３を順に経て、カテーテル１０ａを介して患者に戻される（送血される）。
【００２７】
さて、前述したように、血液回路１では、流量計１０５に第１のチューブ３が接続されており、気泡除去装置１０２に第２のチューブ４が接続されている。
【００２８】
まず、第１のチューブ３について説明する。
第１のチューブ３は、長尺な管状をなし、可撓性を有するものである。
この第１のチューブ３は、基端部３２が流量計１０５に接続されている。
【００２９】
また、第１のチューブ３は、血液回路１が血液の体外循環を行なうときには、先端部３１がカテーテル１０ａのハブ（図示せず）に接続されている（図１参照）。また、第１のチューブ３は、後述する収納部６に収納さているとき（図３参照）や、血液回路１をプライミングするとき（図２参照）には、先端部３１がコネクタ５に接続されている。
【００３０】
このような第１のチューブ３は、前述したように、血液回路１が血液の体外循環を行なう場合、血液が第１のチューブ３を介して（通過して）患者に送血されるものである。このため、第１のチューブ３は、血液が患者に送血される送血ラインの一部を構成しているということができる。
【００３１】
図２に示すように、第１のチューブ３の先端部３１には、それが「第１のチューブであること」、すなわち、「送血ラインに用いられるものであること」を特定する第１の標示７が付されている。第１の標示７は、本実施形態では、頂部７１が先端側、すなわち、第１のチューブ３の先端部３１をカテーテル１０ａに接続するときに患者側に位置する（血流方向を示す）二等辺三角形をなしている。
【００３２】
このような第１の標示７が付されていることにより、血液回路１と患者とを接続して体外循環回路を構成するとき、患者に予め留置されたカテーテル１０ａに第１のチューブ３を迅速かつ確実に接続することができる。従って、第１のチューブ３（血液回路１）は、操作性が優れたものとなる。
【００３３】
なお、第１のチューブの構成材料としては、特に限定されず、例えば、軟質ポリ塩化ビニル、ポリエチレン、ポリプロピレン、ポリウレタン、ポリアミド、ポリテトラフルオロエチレン、シリコーンゴム、エチレン−酢酸ビニル共重合体のような可撓性を有する高分子材料が挙げられる。
【００３４】
次に、第２のチューブ４について説明する。
第２のチューブ４は、第２のチューブ本体４３と、第２のチューブ本体４３の先端部に設けられた分岐部４４から分岐した分岐チューブ４１および４２とで構成されている。
【００３５】
第２のチューブ本体４３は、長尺な管状をなし、可撓性を有するものである。
この第２のチューブ本体４３は、基端部４３１が気泡除去装置１０２に接続されている。
【００３６】
第２のチューブ本体４３の先端部に設けられた分岐部４４は、その形状が「Ｖ」字状（または「Ｙ」字状）をなすものである。この分岐部４４を介して、第２のチューブ本体４３と分岐チューブ４１および４２とが連通している。
【００３７】
分岐チューブ４１および４２は、それぞれ、長尺な管状をなし、可撓性を有するものである。
【００３８】
分岐チューブ４１は、血液回路１が血液の体外循環を行なうときには、先端部４１１がカテーテル１０ｂのハブ（図示せず）に接続されている（図１参照）。また、分岐チューブ４１は、収納部６に収納さているとき（図３参照）や、血液回路１をプライミングするとき（図２参照）には、先端部４１１がコネクタ５に接続されている。
【００３９】
また、分岐チューブ４２は、血液回路１が血液の体外循環を行なうときには、分岐チューブ４２と同様に、先端部４２１がカテーテル１０ｃのハブ（図示せず）に接続されている（図１参照）。また、分岐チューブ４２は、収納部６に収納さているとき（図３参照）や、血液回路１をプライミングするとき（図２参照）には、先端部４２１がコネクタ５に接続されている。
【００４０】
図２に示すように、分岐チューブ４１の長さＬ１と分岐チューブ４２の長さＬ２とは、ほぼ同等である。すなわち、分岐チューブ４１および４２をそれぞれ伸ばしたとき、先端部４１１および４２１が、第２のチューブ４の長手方向のほぼ同じ位置にある。
【００４１】
一般的に、カテーテル１０ｂは下大静脈に挿入され、カテーテル１０ｃは上大静脈に挿入されるが、患者の体位やカテーテル１０ｂ、１０ｃの寸法により、チューブ（第２のチューブ４）の向きは、症例の都度変わる。そこで、分岐チューブ４１の長さＬ１と分岐チューブ４２の長さＬ２とは、それらの長さをそろえておく方が調整し易い。
【００４２】
このような第２のチューブ４は、前述したように、血液回路１が血液の体外循環を行なう場合、血液が第２のチューブ４を介して（通過して）患者から脱血されるものである。このため、第２のチューブ４は、血液が患者から脱血される脱血ラインの一部を構成しているということができる。
【００４３】
図２に示すように、分岐チューブ４１の先端部４１１と分岐チューブ４２の先端部４２１とには、それぞれが「第２のチューブであること」、すなわち、「脱血ラインに用いられるものであること」を特定する第２の標示８が付されている。第２の標示８は、本実施形態では、頂部８１が基端側、すなわち、分岐チューブ４１の先端部４１１をカテーテル１０ｂに接続し分岐チューブ４２の先端部４２１をカテーテル１０ｃに接続するときに回路本体２側に位置する（血流方向を示す）二等辺三角形をなしている。
【００４４】
このような第２の標示８が付されていることにより、血液回路１と患者とを接続して体外循環回路を構成するとき、患者に予め留置されたカテーテル１０ｂに分岐チューブ４１を迅速かつ確実に接続することができとともに、カテーテル１０ｃに分岐チューブ４２を迅速かつ確実に接続することができる。従って、第２のチューブ４（血液回路１）は、操作性が優れたものとなる。
【００４５】
また、図２に示すように、第１のチューブ３の全長Ｌ３と第２のチューブ４の全長Ｌ４とは、ほぼ同等である。すなわち、第１のチューブ３および第２のチューブ４をそれぞれ伸ばしたとき、先端部３１と先端部４１１（先端部４２１も同様）とが、第１のチューブ３（第２のチューブ４も同様）の長手方向のほぼ同じ位置にある。
【００４６】
長さＬ３と長さＬ４とがほぼ同じ長さであることで、第１のチューブ３と第２のチューブ４とをまとめて束ねたときに弛みが生じるのを防止することができる。長さＬ３と長さＬ４とが違う状態で束ねると、弛みが生じ、見た目が悪いだけでなく、チューブキンクにより血液流路の横断面積の局所的な減少、滅菌ガス不透過による滅菌不能という状態に陥るおそれ（危険）がある。
【００４７】
なお、第２のチューブ本体４３（分岐部４４を含む）、分岐チューブ４２および４３の構成材料としては、特に限定されず、例えば、第１のチューブと同様の材料を用いることができる。
【００４８】
コネクタ５は、第１のチューブ３および第２のチューブ４が収納部６に収納さているときや、血液回路１をプライミングするときには、第１のチューブ３および第２のチューブ４（分岐チューブ４１、４２）に装着されている。また、コネクタ５は、血液回路１が血液の体外循環を行なう、すなわち、第１のチューブ３および第２のチューブ４をそれぞれカテーテル１０ａ〜１０ｃに接続するときには、第１のチューブ３および第２のチューブ４から離脱される。
【００４９】
図２に示すように、コネクタ５は、全体形状がブロック状をなすものである。このコネクタ５は、第１のチューブ３の先端部３１と分岐チューブ４１の先端部４１１と分岐チューブ４２の先端部４２１とにそれぞれ着脱自在に装着される（接続される）接続部としての３つのプラグ５１、５２および５３と、把持部５４を有している。
【００５０】
プラグ５１、５２および５３は、それぞれ、外径が基端方向に向かって漸減した筒状をなすものである。また、これらのプラグ５１、５２および５３は、ほぼ同一方向（基端方向）に突出している。
【００５１】
このようなプラグ５１、５２および５３が形成されていることにより、当該プラグ５１に第１のチューブ３が接続され、プラグ５２に分岐チューブ４１が接続され、プラグ５３に分岐チューブ４２が接続されている状態（以下、この状態を「装着状態」という）で、コネクタ５を先端方向へ引張ることによって、当該コネクタ５を各チューブから迅速かつ容易に離脱することができる。従って、その後（離脱後）の工程、すなわち、第１のチューブ３をカテーテル１０ａに接続し、分岐チューブ４１をカテーテル１０ｂに接続し、分岐チューブ４２をカテーテル１０ｃに接続する工程に迅速に移ることができる。
【００５２】
また、プラグ５１の近傍には、第１のチューブ３に付された第１の標示７と同様の第１の標示７が付されている。これにより、プラグ５１に接続されているチューブが「第１のチューブ３であること」を特定することができる。よって、血液回路１と患者とを接続して体外循環回路を構成するとき、コネクタ５を外して、当該コネクタ５が外された第１のチューブ３を、患者に予め留置されたカテーテル１０ａに迅速かつ確実に接続することができる。
【００５３】
また、プラグ５２および５３の近傍には、それぞれ、分岐チューブ４１および４２に付された第２の標示８と同様の第２の標示８が付されている。これにより、プラグ５２および５３にそれぞれ接続されているチューブが「第２のチューブ４であること」を特定することができる。よって、血液回路１と患者とを接続して体外循環回路を構成するとき、コネクタ５を外して、当該コネクタ５が外された分岐チューブ４１および４２を、それぞれ、患者に予め留置されたカテーテル１０ｂおよび１０ｃに迅速かつ確実に接続することができる。
【００５４】
図２に示すように、コネクタ５には、内部空間５５が形成されている。この内部空間５５を介して、プラグ５１、５２および５３は、互いに連通している。これにより、血液回路１をプライミングするとき、コネクタ５を外す操作を行なわずに、すなわち、装着状態のまま、第１のチューブ３および第２のチューブ４をプライミング液（生理食塩水）で満たすことができる。
【００５５】
把持部５４は、コネクタ５を各チューブに対して着脱するときに把持される部位である。この把持部５４は、丸みを帯びた外面を有している。これにより、把持部５４を容易に把持することができ、よって、コネクタ５の着脱操作が容易となる。
【００５６】
なお、コネクタ５の構成材料としては、特に限定されず、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であり、かつ水蒸気透過性が低い点で、ポリカーボネートやアクリロニトリル−ブタジエン−スチレン共重合体（ＡＢＳ樹脂）のような樹脂が好ましい。また、コネクタ５の構成材料は、内部の視認性を確保するために、実質的に透明であるのが好ましい。
【００５７】
図３に示すように、血液回路１は、第１のチューブ３および第２のチューブ４を一括して収納する収納部６をさらに有している。
【００５８】
コネクタ５が装着された第１のチューブ３および第２のチューブ４は、収納部６に収納された状態では、巻回方向が一方向となるようにループ状に束ねられている。
【００５９】
これにより、第１のチューブ３および第２のチューブ４を収納部６から取り出すとき、コネクタ５（把持部５４）を把持して図３中の矢印方向へ引張ることで、その取出操作を容易に行なうことができる。また、第１のチューブ３および第２のチューブ４を取り出した際、これらチューブは、巻回状態が解除されて、自然状態、すなわち、屈曲（キンク）や捩れが生じない状態となる。これにより、各チューブに屈曲（キンク）や捩れが生じることで当該各チューブが閉塞するのが防止される。
【００６０】
次に、血液回路１の使用方法、すなわち、血液回路１と患者に留置されたカテーテル１０ａ〜１０ｃとを接続する方法について説明する。
【００６１】
まず、コネクタ５を把持して、収納部６から、装着状態の第１のチューブ３および第２のチューブ４を取り出す。このとき、患者には、予めカテーテル１０ａ〜１０ｃがそれぞれ留置されている。
【００６２】
次に、血液回路１をプライミングする。その後、第１のチューブ３の先端部３１と、分岐チューブ４１の先端部４１１と、分岐チューブ４２の先端部４２１の近傍にそれぞれ、クランプ（鉗子）を設置する。これにより、コネクタ５を外しても、各チューブからプライミング液が流出するのが防止される。
【００６３】
次に、装着状態の第１のチューブ３と分岐チューブ４１および４２からコネクタ５を離脱する。これにより、第１のチューブ３の先端部３１と、分岐チューブ４１の先端部４１１と、分岐チューブ４２の先端部４２１とは、それぞれ、カテーテル１０ａ〜１０ｃが接続可能な状態となる。
【００６４】
次に、第１のチューブ３の先端部３１にカテーテル１０ａを接続し、分岐チューブ４１の先端部４１１にカテーテル１０ｂを接続し、分岐チューブ４２の先端部４２１にカテーテル１０ｃを接続する。その後、各チューブに設置された前記クランプをそれぞれ外す。これにより、血液回路１は、血液に対する体外循環可能な状態となる。
【００６５】
このように、血液回路１では、装着状態の第１のチューブ３および第２のチューブ４からコネクタ５を離脱しさえすれば、当該第１のチューブ３および第２のチューブ４がそれぞれ、迅速に、カテーテル１０ａ〜１０ｃを接続可能な状態となる。また、その後の各カテーテル１０ａ〜１０ｃへの接続操作も容易に行なうことができ、よって、前述した体外循環操作に迅速に移行することができる。
従って、血液回路１は、操作性に優れたものとなっている。
【００６６】
＜第２実施形態＞
図４は、本発明の血液回路（第２実施形態）のコネクタを示す斜視図である。
【００６７】
以下、この図を参照して本発明の血液回路の第２実施形態について説明するが、前述した実施形態との相違点を中心に説明し、同様の事項はその説明を省略する。
【００６８】
本実施形態は、コネクタの形状が異なること以外は前記第１実施形態と同様である。
図４に示すコネクタ５Ａは、把持部５４Ａがリング状をなすものである。これにより、把持部５４Ａに指を掛けて把持することができ、よって、把持部５４Ａをより容易かつ確実に把持することができる。また、把持部５４Ａがリング状になっているので、この把持部５４Ａを術野側の鉗子等に引っ掛ける等の行為により、一時的に、チューブ（第１のチューブ３、第２のチューブ４）およびコネクタ５Ａを仮置きすることができる。このため、操作者は、両手を使うことができる。
【００６９】
また、コネクタ５Ａでは、プラグ５１〜５２は、それぞれの中心軸が互いに鋭角を持って隣接している（配置されている）。
【００７０】
以上、本発明の血液回路を図示の実施形態について説明したが、本発明は、これに限定されるものではなく、血液回路を構成する各部は、同様の機能を発揮し得る任意の構成のものと置換することができる。また、任意の構成物が付加されていてもよい。
【００７１】
また、本発明の血液回路は、前記各実施形態のうちの、任意の２以上の構成（特徴）を組み合わせたものであってもよい。
【００７２】
例えば、第１実施形態で、コネクタの把持部が、第２実施形態のコネクタの把持部のように、リング状をなしていてもよい。
【００７３】
また、コネクタの接続部は、突出した（凸部で構成された）もの（プラグ）、すなわち、オス型のものであるのに限定されず、例えば、凹部で構成されたもの、すなわち、メス型のものであってもよい。
【００７４】
また、第１の標示と第２の標示とは、同色なものであってもよいし、互いに異なる色のものであってもよい。
【００７５】
また、第１の標示と第２の標示とは、第１のチューブおよび第２のチューブと、コネクタとの双方に付されているが、これに限定されず、これらのうちの一方のみに付されていてもよい。
【００７６】
また、血液回路では、気泡除去装置を静脈リザーバに置換してもよい。静脈リザーバに置換した場合、血液回路から脱気ラインを省略することができる。
また、血液回路では、遠心ポンプをローラポンプに置換してもよい。
【図面の簡単な説明】
【００７７】
【図１】本発明の血液回路の第１実施形態を示す概略図である。
【図２】図１に示す血液回路の第１のチューブ、第２のチューブおよびコネクタの拡大斜視図である。
【図３】図１に示す血液回路の第１のチューブ、第２のチューブおよびコネクタが収納部に収納されている状態を示す斜視図である。
【図４】本発明の血液回路（第２実施形態）のコネクタを示す斜視図である。
【符号の説明】
【００７８】
１            血液回路（体外循環回路）
２            回路本体
３            第１のチューブ
３１          先端部
３２          基端部
４            第２のチューブ
４１          分岐チューブ
４１１        先端部
４２          分岐チューブ
４２１        先端部
４３          第２のチューブ本体
４３１        基端部
４４          分岐部
５、５Ａ      コネクタ
５１、５２、５３  プラグ
５４、５４Ａ  把持部
５５          内部空間
６            収納部
７            第１の標示
７１          頂部
８            第２の標示
８１          頂部
１０ａ、１０ｂ、１０ｃ  カテーテル
１０１        遠心ポンプ
１０２        気泡除去装置
１０４        人工肺
１０４ａ      血液流出ポート（流出口）
１０４ｂ      血液流入ポート（流入口）
１０４ｃ      ガス流入ポート
１０４ｄ      熱媒体流入ポート
１０４ｅ      熱媒体流出ポート
１０５        流量計
１１０        制御装置
１１１        脱気ライン
１１２        陰圧レギュレータ
１１３、１１４、１１５  チューブ
Ｌ１、Ｌ２、Ｌ３、Ｌ４  長さ
【図１】
2008022893.tif 000003
【図２】
2008022893.tif 000004
【図３】
2008022893.tif 000005
【図４】
2008022893.tif 000006